(57)【特許請求の範囲】
【請求項１】
エレベータかご内を照らすランプを内部に囲うと共に、前記内部への入口であって光に集まる習性を有する走光性の虫が通過できる大きさで開口する開口部を有するランプハウスと、
前記虫が誘き寄せられる特定の波長の光を発光する誘虫灯を内部に有する誘虫室であり、前記ランプハウスの内部に通じる入口部を有し、前記ランプハウスの内部に入った前記虫を前記誘虫灯で誘き寄せて前記入口部から内部に集める誘虫室と
を備えたことを特徴とするエレベータかご。
【請求項２】
前記誘虫室の前記入口部は、前記ランプハウスの内部側から前記誘虫室の内部側に向けて先細りしている
ことを特徴とする請求項１記載のエレベータかご。
【請求項３】
前記誘虫室は、前記誘虫灯に誘き寄せられた虫を吸引する吸引部を有する
ことを特徴とする請求項１または請求項２記載のエレベータかご。
【請求項４】
前記吸引部は、風を発生して虫を吸引するファンを有する
ことを特徴とする請求項３記載のエレベータかご。
【請求項５】
前記吸引部は、前記ファンにより吸引された虫を閉じ込める閉じ込め部を有する
ことを特徴とする請求項４記載のエレベータかご。
【請求項６】
前記閉じ込め部は、前記ファンにより吸引された虫を付着する付着部を有する
ことを特徴とする請求項５記載のエレベータかご。
【発明の詳細な説明】
【技術分野】
【０００１】
本発明は、例えば、入り込んだ害虫を駆除するエレベータかごに関するものである。
【背景技術】
【０００２】
エレベータのかご室から害虫を除去するものとして特許文献１や特許文献２がある。
特許文献１には、エレベータのかご室内に噴射ボタンを設置し、噴射ボタンが押下操作されたときに噴射装置を駆動して噴射口からエレベータかご室内に害虫忌避成分を含んだ害虫駆除剤を噴射することが開示されている。また、特許文献１には、エレベータの運転状態に応じて害虫駆除剤の噴射量を調節することが開示されている。
特許文献２には、エレベータドアを開くときにエレベータかご室内の照明を消灯し、エレベータ乗場に設けられた集蛾灯を点灯させることが開示されている。
【特許文献１】特開２００６−９６４８３号公報
【特許文献２】特開２００４−１４９２５９号公報
【発明の開示】
【発明が解決しようとする課題】
【０００３】
特許文献１に開示されている技術には、害虫駆除剤を散布することでエレベータのかご室内の乗客に不快感を与えかねないという課題がある。また、エレベータのかご室内に散布された害虫駆除剤が人体に悪影響を与えるということも考えられる。
特許文献２に開示されている技術には、エレベータドアが開いたときにエレベータかご室内が暗くなるため、エレベータの乗客にとって不便であるという課題がある。
【０００４】
本発明は、例えば、害虫駆除剤の散布による不快感やかご室内の消灯による不便さをエレベータの乗客に与えずに、エレベータのかご室から害虫を除去できるようにすることを目的とする。
【課題を解決するための手段】
【０００５】
本発明のエレベータかごは、エレベータかご内を照らすランプを内部に囲うと共に、前記内部への入口であって光に集まる習性を有する走光性の虫が通過できる大きさで開口する開口部を有するランプハウスを備える。
【発明の効果】
【０００６】
本発明によれば、例えば、走光性の害虫をランプハウス内に収集することにより、エレベータのかご室から害虫を除去することができる。また例えば、本発明によれば、害虫駆除剤の使用やかご室内の消灯をしなくても構わないため、利用者が安全で快適に乗車することができるエレベータのかご室を提供することができる。
【発明を実施するための最良の形態】
【０００７】
実施の形態１．
図１は、実施の形態１におけるエレベータのかご室１の縦断面図であり、ドア７を正面として側方から見たかご室１の縦断面を示している。
実施の形態１におけるエレベータのかご室１について、図１に基づいて以下に説明する。
【０００８】
エレベータのかご室１（エレベータかご）は、床１ａ、天井板１ｃ、床１ａに立設されて左右および背面（後方）の三方を囲う壁１ｂなどによって組み立てられている。また、かご室１の正面（前方）には、利用者が乗り降りするための出入口を開閉するドア７が設けられている。また、エレベータのかご室１内には、照明器具としてランプハウス８が設置されている。なお、エレベータのかご室１はランプハウス８を備える室内の一例である。
【０００９】
エレベータのかご室１は、昇降中、床１ａと壁１ｂと天井板１ｃとドア７とで閉ざされて密閉に近い状態になる。このため、エレベータのかご室１では、ドア７の戸開時に出入口から入り込んだ害虫１６や通気孔（図示省略）のようなかご室１の隙間から入り込んだ害虫１６がなかなか外に出て行かずに内部に留まってしまう。そして、エレベータの乗降客は害虫１６がかご室１内を飛び回ることにより不快感を感じてしまう。
【００１０】
実施の形態１におけるエレベータのかご室１はランプハウス８に開口部１１を有する。
ランプハウス８は、横断面が円形や方形を形成すると共に底部を閉じている筒状の透光材で構成され、照明灯９（ランプ）を覆っている。ランプハウス８は、底部に透光度（透明度）の高い照明板１０を有し、照明灯９が発光した光を照明板１０からかご室１内に透光してかご室１内を明るく照らす。ランプハウス８および照明灯９は、天井板１ｃ下面の略中央に設置され、かご室１内の照明器具を構成する。
【００１１】
また、ランプハウス８の筒状の側面には、１つ以上の開口部１１が設けられている。
ランプハウス８に設けられた開口部１１は、害虫が通過できる程度の大きさ（例えば、直径１．０〜２．０ｃｍ）で開口し、ランプハウス８内部への害虫の入口となる。
【００１２】
かご室１は、誘虫灯１２を内部に有する誘虫室２１を天井板１ｃの上に備える。
誘虫室２１は照明灯９の上方に設置され、誘虫灯１２が照明灯９の略真上に位置する。また、誘虫室２１は誘虫灯１２の略真下（照明灯９の略真上）に天井板１ｃと共に開口する入口部２３を有し、入口部２３でランプハウス８の内部と通じている。
【００１３】
但し、誘虫室２１はランプハウス８の内部と通じていればよく、誘虫室２１の誘虫灯１２や入口部２３は照明灯９の上方に位置しなくても構わない。例えば、誘虫室２１の誘虫灯１２や入口部２３は、ランプハウス８の開口部１１の上方、つまり、ランプハウス８の外周の上方に設けられてもよい。また例えば、誘虫室２１は、かご室１の内部に設けられてもよい。例えば、誘虫室２１は、かご室１の天井裏ではなく、ランプハウス８と横並びに設置されていてもよい。
【００１４】
誘虫室２１の誘虫灯１２は害虫が好む波長の光（例えば、近紫外線）を発光する。
【００１５】
また、誘虫室２１は、害虫を吸引して閉じ込める吸引室２６（吸引部）と繋がっている。
吸引室２６は、内部に吸引ファン１４が取り付けられ、誘虫室２１から吸引室２６への害虫の入口となる吸引口１３と吸引口１３から吸引ファン１４に向けての害虫の通り道となる吸引路２２とを有する。また、吸引室２６は、吸引ファン１４に吸引された害虫を吸引室２６内に閉じ込めるための害虫捕獲部１５（閉じ込め部）を吸引路２２の奥に備える。
吸引ファン１４は、回転して吸引口１３側から害虫捕獲部１５側に流れる風を発生させ、誘虫灯１２に誘き寄せられた害虫１６をその風力で害虫捕獲部１５に吸引する。
害虫捕獲部１５は、粘着シートや綿状繊維シートなどの付着材（付着部）を有し、吸引された害虫１６を付着材に付着させる。また、害虫捕獲部１５は、付着材の代わりに害虫１６を死亡させる程度の電圧をかけた電圧パネルを有してもよいし、付着材や電圧パネルを有していない単なる袋小路であっても構わない。
【００１６】
次に、実施の形態１におけるエレベータのかご室１の作用について説明する。
飛翔性の昆虫（以下、害虫という）の多くは光に集まる習性（走光性）があり、かご室１内に入り込んだ害虫１６は、その習性から、照明灯９および誘虫灯１２が内側で発光しているランプハウス８付近に集まる。さらに、ランプハウス８には開口部１１が設けられているため、害虫１６は開口部１１からランプハウス８の内部に入り込む。
これにより、かご室１内に入り込んだ害虫１６をランプハウス８内に収集し、害虫１６がかご室１内を飛び回ることを抑止することができる。つまり、かご室１内の乗客が害虫１６の存在により不快感を感じてしまうという事象を減らすことができる。
【００１７】
また、開口部１１からランプハウス８の内部に入り込んだ害虫１６は、誘虫灯１２により発光される好みの波長の光（例えば、近紫外線）に誘き寄せられて入口部２３から誘虫室２１内に入り込み、誘虫灯１２の周辺に集まる。
これにより、ランプハウス８の内部に入り込んだ害虫１６が開口部１１からランプハウス８の外に出てかご室１内を再び飛び回るということを防ぐことができる。
【００１８】
さらに、誘虫灯１２の周辺に集まった害虫１６は、回転する吸引ファン１４により発生した風により吸引口１３から吸引され、吸引路２２を通って吸引室２６の奥（吸引ファン１４の先）へ強制的に収集される。吸引された害虫１６は、吸引された勢いで吸引室２６の奥に位置する害虫捕獲部１５の付着材（例えば、粘着シートや綿状繊維シート）に付着してしまい、誘虫室２１に戻ることはできない。そして、害虫１６は害虫捕獲部１５の付着材に付着したまま死んでしまう。また、害虫１６は、害虫捕獲部１５の付着材に付着しなくても、吸引ファン１４が回転しているため誘虫室２１に戻ることができず、吸引室２６に閉じ込められて死んでしまう。また、害虫捕獲部１５に電圧パネルを有する場合、吸引された害虫１６は電圧パネルに触れた際に電圧パネルにかけられた電圧により死んでしまう。
これにより、かご室１内に入り込んだ害虫１６を害虫駆除剤の散布をせずに駆除することができる。また、害虫１６は吸引室２６に閉じ込められるため、ランプハウス８の照明板１０に害虫１６の死骸が溜まることもない。
また、吸引室２６や害虫捕獲部１５を着脱可能にしてもよい。着脱可能にすることで、害虫１６の死骸の清掃がし易くなる。
【００１９】
実施の形態１では、害虫１６が通る開口部１１を有するランプハウス８と、ランプハウス８に設けられた誘虫灯１２とを備えたエレベータのかご室１について説明した。さらに、実施の形態１では、害虫１６を吸引するための吸引口１３を入口側（誘虫室２１側）に有すると共に、出口側（吸引室２６の奥側、害虫捕獲部１５側、吸引先）に害虫１６を吸引する吸引ファン１４を吸引口１３の先に備えるエレベータのかご室１について説明した。
【００２０】
実施の形態１におけるエレベータのかご室１では、かご室１内を害虫１６が飛び回るために乗客が不快になるということが無い。また、実施の形態１におけるエレベータのかご室１では、害虫駆除剤を散布して、乗客に不快感を与えたり、乗客の体に悪影響を与えたりするということが無い。さらに、実施の形態１におけるエレベータのかご室１では、害虫１６を除去するために照明灯９を消灯する必要もないため、かご室１内を暗くして乗客に不快感を感じさせることもない。このため、実施の形態１におけるエレベータのかご室１内の乗客は、安全で且つ快適に他の階へ移動することができる。
【００２１】
実施の形態２．
以下、実施の形態１と異なる事項を主に説明し、説明を省略する事項については実施の形態１と同様であるものとする。
【００２２】
図２および図３は、実施の形態２におけるエレベータのかご室１の縦断面図であり、実施の形態１の図１に対応する図である。
図２および図３において、誘虫室２１の入口部２３は、円錐状のテーパー部２４により、ランプハウス８の内部側から誘虫室２１の内部側に向けて先細りに形成されている。テーパー部２４は、ランプハウス８の内部側において害虫１６が誘虫室２１に入り易いように大きく開口していると共に、誘虫室２１の内部側において害虫１６が誘虫室２１から出辛いように小さく開口している。また、誘虫室２１の入口部２３は、先細りしたテーパー部２４の先端部から誘虫灯１２に向けて伸張している筒部２５を有する。テーパー部２４の先細りした先端および筒部２５は、害虫１６が通過できる程度の大きさ（例えば、直径０．５〜１．０ｃｍ）で開口している。
【００２３】
これにより、誘虫灯１２に誘き寄せられて誘虫室２１内に入り込んだ害虫１６がランプハウス８の内部に戻ってしまうことを抑止することができる。したがって、実施の形態２におけるエレベータのかご室１は、誘虫室２１内に一度入り込んだ害虫１６が再びかご室１内を飛び回るということを抑止することができる。
【００２４】
誘虫室２１は、図２に示すように吸引室２６を備えなくてもよいし、図３に示すように吸引室２６を備えていてもよい。吸引室２６を無くすことにより、コストを下げることができる。また、吸引室２６を無くした場合でも、入口部２３が先細りに形成されていることにより、害虫１６の捕獲効果は確保されている。
【００２５】
実施の形態３．
以下、実施の形態１および実施の形態２と異なる事項を主に説明し、説明を省略する事項については実施の形態１と実施の形態２との少なくともいずれかと同様であるものとする。
【００２６】
図４は、実施の形態３におけるエレベータのかご室１の縦断面図であり、実施の形態１の図１に対応する図である。
図４において、エレベータのかご室１は誘虫室２１を備えず、吸引室２６の吸引口１３はランプハウス８の内部において照明灯９の近辺に設けられている。そして、吸引室２６の吸引ファン１４は照明灯９に集まった害虫１６を吸引口１３から吸引して害虫捕獲部１５に捕獲する。
【００２７】
照明灯９には、誘虫効果が高い光（例えば、近紫外線）を発光するものを用いてもよい。
【００２８】
これにより、誘虫灯１２を別途設ける必要が無く、コストを下げることができる。
【図面の簡単な説明】
【００２９】
【図１】実施の形態１におけるエレベータのかご室１の縦断面図。
【図２】実施の形態２におけるエレベータのかご室１の縦断面図。
【図３】実施の形態２におけるエレベータのかご室１の縦断面図。
【図４】実施の形態３におけるエレベータのかご室１の縦断面図。
【符号の説明】
【００３０】
１  かご室、１ａ  床、１ｂ  壁、１ｃ  天井板、７  ドア、８  ランプハウス、９  照明灯、１０  照明板、１１  開口部、１２  誘虫灯、１３  吸引口、１４  吸引ファン、１５  害虫捕獲部、１６  害虫、２１  誘虫室、２２  吸引路、２３  入口部、２４  テーパー部、２５  筒部、２６  吸引室。
【図１】
0005268378.tif 000002
【図２】
0005268378.tif 000003
【図３】
0005268378.tif 000004
【図４】
0005268378.tif 000005